(57)【要約】【課題】チャフシーブ上における寄せ板の配置を工夫することで、材料適応性を向上させることが可能な脱穀機の揺動選別装置を提供する。【解決手段】揺動選別装置２は、チャフシーブ１２の上方に、落下してくる選別物を受けて後方側に向けて流動させるサブフィードパン１３と、該サブフィードパン１３の下方で、チャフシーブ１２の上面との間に隙間ｈを有し、チャフシーブ１２上の選別物を分散させる寄せ板２５を設けている。これにより、寄せ板２５は、該寄せ板２５上に選別物が堆積することを防ぐことができると共に、チャフシーブ１２上面との間の隙間ｈから選別物を通過させることができ、選別物を分散させ層厚を一定にすることができて、材料適応性を向上させることができる。【選択図】図１
2010017157.tif 000002
【特許請求の範囲】
【請求項１】
扱胴を収納する扱室の下方に配置され、選別物を後方に向けて流動させる第１フィードパンと該第１フィードパンの後端に達した選別物を篩選別するチャフシーブとを有し、前後方向に揺動可能に支持された揺動選別装置を備え、
前記揺動選別装置が前記扱胴により脱穀された選別物及び前記揺動選別装置上に供給された選別物を後方側へ移送しつつ選別する脱穀機において、
前記揺動選別装置は、前記チャフシーブの上方に配置され、落下してくる選別物を受け、後方に向けて流動させる第２フィードパンを有し、
前記第２フィードパンの下方に配置され、前記チャフシーブの上面との間に隙間を有し、前記チャフシーブ上の選別物を分散させる寄せ板を設けてなる、
ことを特徴とする脱穀機。
【請求項２】
前記寄せ板は、前方側から後方側に向かうに従って前記寄せ板の下端と前記チャフシーブの上面との隙間が広くなるように形成されてなる、
ことを特徴とする請求項１記載の脱穀機。
【請求項３】
前記寄せ板は、前記第２フィードパンの下面に一体となるように取付けられてなる、
ことを特徴とする請求項１または２記載の脱穀機。
【発明の詳細な説明】
【技術分野】
【０００１】
本発明は、コンバイン等に搭載される脱穀機に係り、詳しくは、選別物を後方側に流動させるフィードパンと該フィードパンの後端に達した選別物を篩選別するチャフシーブとを有し、前後方向に揺動可能に支持された揺動選別装置を備えた脱穀機に関する。
【背景技術】
【０００２】
従来、コンバイン等に搭載される脱穀機においては、扱胴を収納する扱室の下方に、前後方向に揺動可能に支持された揺動選別装置を備えたものがある。該揺動選別装置は、扱胴によって脱穀された穀粒及び藁屑等の選別物を比重選別しつつ後方側へ流動させるフィードパンと、該フィードパンの後端に達した選別物を篩選別するチャフシーブとを有して構成されている。
【０００３】
このような揺動選別装置では、扱胴によって脱穀された選別物がフィードパン上に落下する際、扱胴の回転方向下手側となる一側方に偏ってしまう。このため、この一側方に集中した選別物を後方側へ流動させつつ分散させる寄せ板を設けたものが提案されている（例えば特許文献１参照）。また、寄せ板を配置したフィードパン上の所定位置に、横移送装置を用いて２番還元物を放出するように構成し、寄せ板による選別物の分散を安定させ、選別性能の向上を図ったものが提案されている（例えば特許文献２参照）。
【０００４】
【特許文献１】特開２００３−９６４０号公報
【特許文献２】特開２００５−３２８７３６号公報
【発明の開示】
【発明が解決しようとする課題】
【０００５】
ところで、比較的小型の脱穀機においては、２番還元筒の配置できるスペースの関係から、２番還元物をフィードパン上に放出する放出口を充分に前方側に配置することができず、フィードパン上で分散しきれないため、チャフシーブ上にも上記特許文献１または２に示すような寄せ板を配置することが考えられる。
【０００６】
しかし、例えば材料が異なることにより２番還元物の量が変動した際には、選別物の分散が充分に行えず、チャフシーブ上に放出される選別物に偏りが生じ、穀粒が選別風により機外飛散となる、いわゆる穀粒ロスになってしまうという問題があった。また、このような脱穀機では、搬送されて扱室から出てきた排藁より落ちる穀粒及び藁屑を揺動選別装置上に放出する４番口からの選別物や、扱室から落下してくる切れ藁等の落下物があるため、これら落下物が寄せ板上に堆積し充分な分散を行うことができず、切れ藁等が混入することによる選別性能の悪化や穀粒ロスとなる虞があった。
【０００７】
そこで本発明は、チャフシーブ上における寄せ板の配置を工夫することで、材料適応性を向上させることが可能な脱穀機を提供することを目的とする。
【課題を解決するための手段】
【０００８】
請求項１に係る本発明は（例えば図１乃至図６参照）、扱胴（３ａ）を収納する扱室（３）の下方に配置され、選別物を後方に向けて流動させる第１フィードパン（１１）と該第１フィードパンの後端に達した選別物を篩選別するチャフシーブ（１２）とを有し、前後方向に揺動可能に支持された揺動選別装置（２）を備え、
前記揺動選別装置（２）が前記扱胴（３ａ）により脱穀された選別物及び前記揺動選別装置（２）上に供給された選別物を後方側へ移送しつつ選別する脱穀機（１）において、
前記揺動選別装置（２）は、前記チャフシーブ（１２）の上方に配置され、落下してくる選別物を受け、後方に向けて流動させる第２フィードパン（１３）を有し、
前記第２フィードパン（１３）の下方に配置され、前記チャフシーブ（１２）の上面との間に隙間（ｈ）を有し、前記チャフシーブ（１２）上の選別物を分散させる寄せ板（２５）を設けてなる、
ことを特徴とする脱穀機（１）にある。
【０００９】
請求項２に係る本発明は（例えば図１及び図３参照）、前記寄せ板（２５）は、前方側から後方側に向かうに従って前記寄せ板（２５）の下端と前記チャフシーブ（１２）の上面との隙間（ｈ）が広くなるように形成されてなる、
ことを特徴とする請求項１記載の脱穀機（１）にある。
【００１０】
請求項３に係る本発明は（例えば図１及び図３参照）、前記寄せ板（２５）は、前記第２フィードパン（１３）の下面に一体となるように取付けられてなる、
ことを特徴とする請求項１または２記載の脱穀機（１）にある。
【００１１】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１２】
請求項１に係る本発明によると、チャフシーブの上方に、落下してくる選別物を受けて後方側に向けて流動させる第２フィードパンと、該第２フィードパンの下方で、チャフシーブの上面との間に隙間を有し、チャフシーブ上の選別物を分散させる寄せ板を設けているので、例えば扱室や４番口からの落下物が第２フィードパンによって受け止められ、寄せ板上に堆積することを防ぐことができ、寄せ板の寄せ性能を良好にすることができて選別性能を向上させることができる。また、寄せ板は、チャフシーブ上面との間の隙間から選別物を通過させることができるので、チャフシーブ上で、例えば２番還元物の量の変動等により選別物の偏りが生じた場合にも、選別物を分散させ、選別物の層厚を極力均一にすることができ、チャフシーブの選別能力の効率を向上させることができて、選別性能を向上させると共に、選別風に基づく機外飛散による穀粒ロスも低減することができ、材料適応性を向上させることができる。
【００１３】
請求項２に係る本発明によると、寄せ板は、前方側から後方側に向かうに従って該寄せ板の下端とチャフシーブの上面との隙間が広くなるように形成されているので、該寄せ板の下端とチャフシーブの上面との隙間を通過させて選別物を分散させる際に、寄せ板の先端側では通過しやすくすることができて、効率よく分散させることができる。
【００１４】
請求項３に係る本発明によると、寄せ板は、第２フィードパンの下面に一体となるように取付けられているので、寄せ板上、つまり第２フィードパンと寄せ板との間に藁屑等が詰まることによる寄せ性能の低下を防止することができる。
【発明を実施するための最良の形態】
【００１５】
以下、本発明に関する実施の形態を図１乃至図６に沿って説明する。
【００１６】
小型コンバイン等に搭載される脱穀機１は、図１に示すように、回転自在に配置された扱胴３ａと該扱胴３ａの下方に配置された受網３ｂとを有する扱室３と、該扱室３に沿って穀稈を搬送するフィードチェーン５と、該フィードチェーン５の上側に沿って配置される挟持レール５ａと、フィードチェーン５の終端部で排藁を受け取り、該排藁を搬送する排藁搬送チェーン６とを備えている。
【００１７】
また、脱穀機１は、上記扱室３の下方に、唐箕ファン７及び排塵口４０によって形成された選別風路中で前後方向に揺動することで、扱室３より排出された穀粒や藁屑等の選別物を選別する揺動選別装置２を備えている。
【００１８】
さらに、該揺動選別装置２の下方には、１番物が搬送される１番ラセン８ａを収納する１番樋８が備えられており、該１番ラセン８ａの搬送終端部には、揚穀筒（図示せず）が連結され、１番樋８に収容された穀粒が該揚穀筒を介して揚上搬送されて穀粒タンク（図示せず）に貯留されるように構成されている。また、１番樋８の後方側には、２番物を搬送する２番ラセン９ａが収納された２番樋９が備えられており、該２番ラセン９ａの搬送終端部には、２番還元筒９ｂが連結され、２番樋９に収容された穀粒が該２番還元筒９ｂを介して揚上搬送されて、脱穀側板１ａに設けられた２番物放出口９ｃから揺動選別装置２上に還元されるように構成されている。さらに、上記扱室３の後方側には、フィードチェーン５によって搬送されて扱室３から出てきた排藁より落ちる穀粒及び藁屑を傾斜面に沿って流下させ、揺動選別装置２上に放出する４番口４１（図１及び図５参照）が設けられている。
【００１９】
上記揺動選別装置２は、図２乃至図６に示すように、扱室３の下方側かつ左右の脱穀側板１ａ，１ｂの間に配置され、前方側から、選別物を後方側に向けて流動させるメインフィードパン（第１フィードパン）１１、該メインフィードパン１１から流動してきた選別物を篩選別するチャフシーブ１２、及びストローラック１５を備えている。
【００２０】
また、チャフシーブ１２の上方側には、上記扱室３の後部に開口した排稈口３ｃや４番口４１から落下してくる藁屑及びささり粒等の選別物がチャフシーブ１２に直接落下することを規制すると共に、これら落下した選別物を後方側へ流動させるサブフィードパン（第２フィードパン）１３が備えられており、該チャフシーブ１２の下方側には、１番選別網１６が備えられると共に、該１番選別網１６の下方には１番樋８に１番物を流下させる１番流板１７が備えられている。さらに、ストローラック１５の下方側には、２番樋９に２番物を流下させる２番流板１８が備えられている。そして、揺動選別装置２は、これらが固定配置された枠体２ａが支持リンクと駆動機構とからなる揺動支持機構（図示せず）により前後方向に揺動自在に支持されて構成されている。
【００２１】
該枠体２ａは、左右両側端部が外側に向かって屈曲するように形成されており、この側端部の上面に、ゴム又はプラスチック材によって形成される可撓性を有する帯状のシール部材３１と、押さえプレート３２とが複数のボルトによって固定されている。該シール部材３１の外側端部は、脱穀側板１ａ，１ｂに上向き傾斜となるように摺接させて配置されており、枠体２ａと脱穀側板１ａ，１ｂとの間に形成される隙間から選別物等の漏下を防止するように構成されている。
【００２２】
また、枠体２ａの脱穀側板１ｂ側の後方部分には、図４乃至図６に示すように、シール部材３１及び押さえプレート３２上に乗って後方側に搬送されてきた選別物を選別可能な内側部分に誘導するガイドプレート２６が設けられている。該ガイドプレート２６は、プレート部２６ａと取付部２６ｂとからなり、該取付部２６ｂがストローラック１５の側方部分においてボルトによって固定されている。
【００２３】
メインフィードパン１１には、漏下してきた選別物の層厚を均一にする寄せ板２１，２２，２３が設けられている。また、寄せ板２２は、前方側で量が多くなる扱室３からの漏下物と、後方側から漏下してくる２番物放出口９ｃからの２番物を区分けするため、他の寄せ板２１，２３よりも高さが高くなるように形成されている。なお、これら寄せ板２１，２２，２３は、扱室３及び２番放出口９ｃからの漏下物が脱穀側板１ａ側に集中するため、脱穀側板１ａ側の側端部を始点として後方側に延びるにしたがって脱穀側板１ｂ側に延びる傾斜状に形成されている。
【００２４】
上記サブフィードパン１３は、脱穀側板１ａ側に切欠き部を有しており、この切欠き部によって形成される空間Ａより、２番物放出口９ｃから放出される２番物がチャフシーブ１２上に落下するように構成されている。また、サブフィードパン１３は、脱穀側板１ｂ側に配置された支持側板１３Ａと、脱穀側板１ａ側に配置された支持取付部１３Ｂとによって揺動選別装置２の枠体２ａに固定されている。該支持取付部１３Ｂは、前方側が前取付部１３ｃによって、上記寄せ板２３の先端部に固定されており、後方側が規制板部１３ａを介した後取付部１３ｂによって、枠体２ａに固定されている。該規制板部１３ａは、上記空間Ａの後方側を閉塞するように板状に形成され、２番物放出口９ｃから放出された２番物がすぐに後方側に移送され、機外飛散になってしまうことを防止するように構成されている。
【００２５】
サブフィードパン１３の下方には、チャフシーブ１２上の選別物の層厚を均一にする寄せ板２５が配置されている。該寄せ板２５は、図１及び図３に示すように、該寄せ板２５の下端部とチャフシーブ１２の上面との間に隙間ｈを有しており、選別物が通過できるように構成されている。また、特に、寄せ板２５は基端側（前方側）よりも先端側（後方側）の方がチャフシーブ１２の上面との隙間ｈが広くなるように構成されており、先端側に行くにしたがって選別物が通過しやすくなっている。さらに、寄せ板２５は、サブフィードパン１３の下面に一体となるように溶着して取付けられており、例えば、寄せ板２５上に藁屑等が堆積してしまうこと、つまりサブフィードパン１３と寄せ板２５との間に藁屑等が詰まってしまうことを防止している。
【００２６】
また、寄せ板２５は、図２及び図６に示すように、基端部が上記サブフィードパン１３の前取付部１３ｃ及び寄せ板２３の先端部と共にボルト４５，４５及びナット４６，４６によって固定されている。これにより、サブフィードパン１３の取付部１３ｃ、寄せ板２３、及び寄せ板２５の強度の向上を図ることができると共に、取付けの構造の簡素化を図ることができる。
【００２７】
また、寄せ板２５は、該寄せ板２５の基端部と寄せ板２３の先端部とが隙間のないように接続され、後方側に延びるにしたがって脱穀側板１ｂ側に延びる傾斜状に形成されている。これにより、寄せ板２５の基端部と寄せ板２３の先端部との間に隙間がある場合に比して、選別物が隙間を介して出入りしてしまうことを防ぐことができ、例えば２番物の量が増加した際にも、寄せ板２３より前方側に落下した選別物を寄せ板２３，２５によって脱穀側板１ｂ側に寄せることができて選別のロスを低減することができる。つまり２番還元量が変動した場合でも、選別性能の変化をなくすことができ、材料適応性を向上させることができる。
【００２８】
以上のように構成された本発明に係る脱穀機１は、扱室３で脱穀された穀粒や藁屑等の選別物を揺動選別装置２の揺動運動及び唐箕ファン７による風選別によって選別作用を行い、１番物は１番流板１７から１番樋８、１番ラセン８ａ及び揚穀筒を介して穀粒タンクに収容すると共に、ストローラック１５から切藁等の長い屑類を選別風路に向けて送出選別した後の２番物を、２番流板１８から２番樋９、２番ラセン９ａ及び２番還元筒９ｂを介して揺動選別装置２上に還元して再選別を行い穀粒を回収する。また、機体内で発生する藁屑等の排塵物は唐箕ファン７によって形成される選別風によって排塵口４０から機外に向けて排出される。
【００２９】
以上のように、本発明に係る脱穀機１の揺動選別装置２によると、チャフシーブ１２の上方に、落下してくる選別物を受けて後方側に向けて流動させるサブフィードパン１３と、該サブフィードパン１３の下方で、チャフシーブ１２の上面との間に隙間ｈを有し、チャフシーブ１２上の選別物を分散させる寄せ板２５を設けているので、例えば扱室３の排稈口３ｃや４番口４１からの落下物がサブフィードパン１３によって受け止められ、寄せ板２５上に堆積することを防ぐことができ、寄せ板２５の寄せ性能を良好にすることができて選別性能を向上させることができる。また、寄せ板２５は、チャフシーブ１２上面との間の隙間ｈから選別物を通過させることができるので、チャフシーブ１２上で、例えば２番還元物の量の変動等により選別物の偏りが生じた場合にも、選別物を分散させ、選別物の層厚を極力均一にすることができ、チャフシーブ１２の選別能力の効率を向上させることができて、選別性能を向上させると共に、選別風に基づく機外飛散による穀粒ロスも低減することができ、材料適応性を向上させることができる。
【００３０】
また、寄せ板２５は、前方側から後方側に向かうに従って該寄せ板２５の下端とチャフシーブ１２の上面との隙間ｈが広くなるように形成されているので、該寄せ板２５の下端とチャフシーブ１２の上面との隙間ｈを通過させて選別物を分散させる際に、寄せ板の先端側では通過しやすくすることができて、効率よく分散させることができる。
【００３１】
さらに、寄せ板２５は、サブフィードパン１３の下面に一体となるように取付けられているので、寄せ板２５上、つまりサブフィードパン１３と寄せ板２５との間に藁屑等が詰まることによる寄せ性能の低下を防止することができる。
【図面の簡単な説明】
【００３２】
【図１】本発明の実施の形態に係る脱穀機を示す側面図。
【図２】脱穀機の一部を示す斜視図。
【図３】揺動選別装置を示す側面図。
【図４】揺動選別装置を示す斜視図。
【図５】脱穀機を示す斜視図。
【図６】揺動選別装置を示す平面図。
【符号の説明】
【００３３】
１        脱穀機
２        揺動選別装置
３        扱室
３ａ      扱胴
１１      第１フィードパン（メインフィードパン）
１２      チャフシーブ
１３      第２フィードパン（サブフィードパン）
２５      寄せ板
ｈ        隙間
【図１】
2010017157.tif 000003
【図２】
2010017157.tif 000004
【図３】
2010017157.tif 000005
【図４】
2010017157.tif 000006
【図５】
2010017157.tif 000007
【図６】
2010017157.tif 000008